(57)【要約】【課題】使い勝手の良い移動端末を提供する。【解決手段】移動端末２は、着信を認識したときに、現在設定されている動作モードの種類とその動作モードの設定期間を移動体通信サービスシステム６に通知し、移動体通信サービスシステム６は、発信側の移動端末１から移動端末２に向けた発信を認識したときに移動端末２を呼出し、移動端末２より動作モードの種類とその動作モードの設定期間の通知を受けると、その情報を発信側の移動端末１に通知する。【選択図】  図１
2004242091.tif 000002
【特許請求の範囲】
【請求項１】
使用環境に応じた複数種類の動作モードを設定可能な移動端末であって、
前記複数種類の動作モードは、発信側端末から着信があると、前記発信側端末に対して予め定められた応答メッセージ情報を送信し、前記応答メッセージ情報を送信した後、所定の方法により前記着信を報知する複数種類の応答動作モードを含み、
前記複数種類の応答動作モードのいずれか１つが設定された状態で、前記発信側端末からの着信があると、前記設定されている応答動作モードに応じた応答メッセージ情報を前記発信側端末に送信する送信手段を備える移動端末。
【請求項２】
請求項１記載の移動端末であって、
特定の発信側端末を指定する指定手段と、
前記複数種類の応答動作モードのいずれか１つが設定された状態で、前記発信側端末からの着信があると、当該発信元の発信側端末と前記指定手段によって指定した発信側端末とを比較する比較手段と、
前記比較手段による比較の結果、両者が一致した場合は、前記着信の報知を、着信音の出力及び移動端末本体の振動の少なくとも一方により行う報知手段とを備える移動端末。
【請求項３】
請求項１記載の移動端末であって、
前記複数種類の応答動作モードのいずれか１つが設定された状態で、前記発信側端末から前記着信と共に前記移動端末の着信の報知を強制的に行うための制御信号を受信すると、前記制御信号に基づいて、前記着信の報知を、着信音の出力及び移動端末本体の振動の少なくとも一方により行う報知手段を備える移動端末。
【請求項４】
請求項１〜３のいずれか記載の移動端末であって、
前記移動端末で設定する応答動作モードの設定期間を指定する応答動作モード設定期間指定手段を備え、
前記応答メッセージ情報は、前記応答動作モード設定期間指定手段で指定された設定期間情報を含む移動端末。
【請求項５】
請求項１〜４のいずれか記載の移動端末であって、
前記複数種類の動作モードが、前記移動端末における電波の送受信を停止する電波送受信停止モードを少なくとも１つ含み、
前記送信手段は、前記少なくとも１つの電波送受信停止モードのいずれか１つが設定されると、当該設定されている電波送受信停止モードに関するモード設定情報を、前記移動端末と前記発信側端末に対する通信サービスを提供するサービスサーバに送信し、
前記サービスサーバに送信されるモード設定情報は、前記サービスサーバが前記移動端末に発信した発信側端末に対して前記移動端末の動作状態を通知するための情報である移動端末。
【請求項６】
請求項５記載の移動端末であって、
前記少なくとも１つの電波送受信停止モードは、前記移動端末が電源停止状態から即座に通常状態に復帰可能なスリープモードを含む移動端末。
【請求項７】
請求項５又は６記載の移動端末であって、
前記移動端末で設定する電波送受信停止モードの設定期間を指定する電波送受信停止モード設定期間指定手段を備え、
前記モード設定情報は、前記電波送受信停止モード設定期間指定手段で指定された設定期間情報を含む移動端末。
【請求項８】
請求項１〜７のいずれか記載の移動端末であって、
前記複数種類の動作モードの設定が時間毎にスケジューリングされたスケジュール情報を記憶する記憶部と、
前記記憶部に記憶されているスケジュール情報に基づいて、前記複数種類の動作モードの設定を時間毎に切り替えるモード設定手段とを備える移動端末。
【請求項９】
請求項８記載の移動端末の動作を制御する方法であって、
前記記憶部に記憶されているスケジュール情報に基づいて、前記複数種類の動作モードの設定を時間毎に切り替える制御を行う動作制御方法。
【請求項１０】
使用環境に応じた複数種類の動作モードを設定可能な移動端末と、前記移動端末に対して発信する発信側端末に対する通信サービスを提供するサービスサーバであって、
前記複数種類の動作モードは、前記移動端末における電波の送受信を停止する電波送受信停止モードを少なくとも１つ含み、
前記移動端末で前記少なくとも１つの電波送受信停止モードのいずれか１つが設定された場合に、前記設定された電波送受信停止モードに関するモード設定情報を前記移動端末から受信して記憶する記憶手段と、
前記記憶手段により前記モード設定情報を記憶した後に、前記発信側端末からの前記移動端末への発信を検知すると、前記発信に応答し、前記記憶手段により記憶したモード設定情報に基づいて、前記移動端末の動作状態を通知するための情報を前記発信側端末に送信する送信手段とを備えるサービスサーバ。
【請求項１１】
請求項１０記載のサービスサーバであって、
前記モード設定情報は、前記移動端末で設定されている電波送受信停止モードの設定期間を示す設定期間情報を含むサービスサーバ。
【請求項１２】
請求項１１記載のサービスサーバであって、
前記発信に応答して、前記送信手段により前記モード設定情報に基づく情報を送信した後、前記移動端末と前記発信側端末との通信の接続を切断し、前記発信側端末から発信があったことを示す履歴情報を記憶する履歴情報記憶手段と、
前記モード設定情報に含まれる設定期間情報に基づく前記電波送受信停止動作モードの設定終了時刻になると、前記履歴情報記憶手段により記憶した履歴情報を前記移動端末に送信する履歴情報送信手段とを備えるサービスサーバ。
【請求項１３】
請求項１１又は１２記載のサービスサーバであって、
前記送信手段により前記移動端末の動作状態を通知するための情報を前記発信側端末に送信した後に、前記モード設定情報に含まれる設定期間情報に基づく前記電波送受信停止動作モードの設定終了時刻になると、前記移動端末で設定されている電波送受信停止動作モードの設定が解除されたことを通知するための情報を前記発信側端末に送信するモード設定解除情報送信手段を備えるサービスサーバ。
【請求項１４】
請求項１０〜１３のいずれか記載のサービスサーバであって、前記通知とは、前記発信側端末の表示装置又は音声出力装置を利用して行うものであるサービスサーバ。
【請求項１５】
請求項７記載の移動端末と通信を行う移動端末であって、
前記請求項７記載の移動端末の動作状態を通知するための情報を前記サービスサーバから受信する受信手段と、
前記受信手段で受信した情報に基づいて、前記請求項７記載の移動端末で設定されている動作モードの設定が解除される時間を判断し、前記時間になると、前記請求項７記載の移動端末で設定されている電波送受信停止モードの設定が解除されたことを示す報知を行う報知手段とを備える移動端末。
【発明の詳細な説明】
【０００１】
【発明が属する技術分野】
本発明は、携帯電話やＰＨＳ（Ｐｅｒｓｏｎａｌ  Ｈａｎｄｙ−Ｐｈｏｎｅ  Ｓｙｓｔｅｍ）等の移動端末、該移動端末に対する通信サービスを提供するサービスサーバ、及び該移動端末の動作制御方法に関する。
【０００２】
【従来の技術】
従来、携帯電話やＰＨＳ等の移動端末には、通常の待受モードの他に、電車や映画館等の公共の場所での利用を制限するモードが設けられている。このモードには次のようなものがある。
【０００３】
マナーモード：着信があっても着信音を出力せずに、バイブレータを振動させることで着信を報知する。
ドライブモード：移動端末への着信があると、移動体通信サービスシステム側が自動応答し、発信側に対して移動端末のユーザが運転中であることを通知する。この際、移動端末には着信履歴のみが通知され記録される。
オフラインモード：電波の発着信を禁止する。
【０００４】
又、従来の移動端末には、ユーザが予め設定した期間中は端末自身が自動応答し、その期間を経過した時点からユーザによる応答可能な状態に復帰させるモードを持ったものがある（特許文献１参照）。
【０００５】
又、従来の移動体通信サービスとして、基地局及び中継局で構成される移動体通信サービスシステムが、着信側の移動端末の状態（例えば、移動端末が圏外にあるとか、電源を切った状態にあるとか、あるいはドライブモードに設定されているとか）を、発信側の移動端末あるいは固定電話に対して音声アナウンスにより知らせるようにしたものがある。
【０００６】
【特許文献１】
特開平１１−５５７３７号公報
【０００７】
【発明が解決しようとする課題】
しかしながら、特許文献１記載の移動端末では、自動応答が可能なモードに一旦設定されると、その設定期間中は、移動端末のユーザに対して着信の報知を行うことができない。設定期間が例えば１時間であった場合には、移動端末のユーザに対して緊急で知らせたい用事があっても、１時間もの間、その用事を知らせることができない。
【０００８】
又、従来のように、移動端末がドライブモードに設定された場合は、移動体通信サービスシステムからの音声アナウンスにより、発信元に着信側の状態が伝わるが、移動端末がオフラインモードに設定されているとき等には、該移動端末に発信したユーザによって移動端末がどのような状況であるのかを知る術がなかった。
【０００９】
本発明は係る点に鑑みてなされたものであり、使い勝手の良い移動端末を提供することを第１の目的とする。
【００１０】
また、移動端末のユーザに対するサービスの向上を図ることが可能なサービスサーバを提供することを第２の目的とする。
【００１１】
【課題を解決するための手段】
本発明の移動端末は、使用環境に応じた複数種類の動作モードを設定可能な移動端末であって、前記複数種類の動作モードは、発信側端末から着信があると、前記発信側端末に対して予め定められた応答メッセージ情報を送信し、前記応答メッセージ情報を送信した後、所定の方法により前記着信を報知する複数種類の応答動作モードを含み、前記複数種類の応答動作モードのいずれか１つが設定された状態で、前記発信側端末からの着信があると、前記設定されている応答動作モードに応じた応答メッセージ情報を前記発信側端末に送信する送信手段を備える。
【００１２】
この構成により、複数種類の応答動作モードのいずれか１つが設定された状態で着信があった場合は、発信側端末に対して、移動端末側で設定されている応答動作モードに応じた応答メッセージ情報を送信するため、発信側端末のユーザは、移動端末がどのような状況にあるかを詳しく知ることができ、応答メッセージの内容によっては、発信側端末のユーザに対して、移動端末への発信の自粛等を促すことができる。又、発信側は、応答メッセージを聞いた後、更に発信を継続することで、緊急の場合でもそのことを相手に伝えることが可能になる。
【００１３】
又、本発明の移動端末は、特定の発信側端末を指定する指定手段と、前記複数種類の応答動作モードのいずれか１つが設定された状態で、前記発信側端末からの着信があると、当該発信元の発信側端末と前記指定手段によって指定した発信側端末とを比較する比較手段と、前記比較手段による比較の結果、両者が一致した場合は、前記着信の報知を、着信音の出力及び移動端末本体の振動の少なくとも一方により行う報知手段とを備える。
【００１４】
この構成により、特定の発信側端末からの着信については、その着信の報知を着信音の出力及び移動端末本体の振動の少なくとも一方により行うため、移動端末のユーザに着信を確実に知らせることができ、緊急を要する着信等にも対応することができる。
【００１５】
又、本発明の移動端末は、前記複数種類の応答動作モードのいずれか１つが設定された状態で、前記発信側端末から前記着信と共に前記移動端末の着信の報知を強制的に行うための制御信号を受信すると、前記制御信号に基づいて、前記着信の報知を、着信音の出力及び移動端末本体の振動の少なくとも一方により行う報知手段を備える。
【００１６】
この構成により、特定の発信側端末からの着信については、その着信の報知を着信音の出力及び移動端末本体の振動の少なくとも一方により行うため、移動端末のユーザに着信を確実に知らせることができ、緊急を要する着信等にも対応することができる。
【００１７】
又、本発明の移動端末は、前記移動端末で設定する応答動作モードの設定期間を指定する応答動作モード設定期間指定手段を備え、前記応答メッセージ情報は、前記応答動作モード設定期間指定手段で指定された設定期間情報を含む。
【００１８】
この構成により、移動端末で設定されている応答動作モードの設定期間を発信側端末に通知することが可能となる。
【００１９】
又、本発明の移動端末は、前記複数種類の動作モードが、前記移動端末における電波の送受信を停止する電波送受信停止モードを少なくとも１つ含み、前記送信手段は、前記少なくとも１つの電波送受信停止モードのいずれか１つが設定されると、当該設定されている電波送受信停止モードに関するモード設定情報を、前記移動端末と前記発信側端末に対する通信サービスを提供するサービスサーバに送信し、
前記サービスサーバに送信されるモード設定情報は、前記サービスサーバが前記移動端末に発信した発信側端末に対して前記移動端末の動作状態を通知するための情報である。
【００２０】
この構成により、移動端末が電波送受信停止モードに設定されている状態でも、発信側のユーザに対し移動端末の状態を認識させることができる。
【００２１】
又、本発明の移動端末は、前記少なくとも１つの電波送受信停止モードが、前記移動端末が電源停止状態から即座に通常状態に復帰可能なスリープモードを含む。
【００２２】
この構成により、スリープモードを有することで、このモードが設定されているときは移動端末の消費電力を低く抑えることができる。
【００２３】
又、本発明の移動端末は、前記移動端末で設定する電波送受信停止モードの設定期間を指定する電波送受信停止モード設定期間指定手段を備え、前記モード設定情報は、前記電波送受信停止モード設定期間指定手段で指定された設定期間情報を含む。
【００２４】
この構成により、移動端末で設定されている電波送受信停止モードの設定期間を発信側端末に通知することが可能となる。
【００２５】
又、本発明の移動端末は、前記複数種類の動作モードの設定が時間毎にスケジューリングされたスケジュール情報を記憶する記憶部と、前記記憶部に記憶されているスケジュール情報に基づいて、前記複数種類の動作モードの設定を時間毎に切り替えるモード設定手段とを備える。
【００２６】
この構成により、スケジュールに基づいて移動端末の動作モードが切り替わるため、移動端末のユーザの行動に合わせて動作モードをその都度切り替える必要がなくなり、使い勝手が向上する。
【００２７】
本発明の動作制御方法は、請求項８記載の移動端末の動作を制御する方法であって、前記記憶部に記憶されているスケジュール情報に基づいて、前記複数種類の動作モードの設定を時間毎に切り替える制御を行う。
【００２８】
本発明のサービスサーバは、使用環境に応じた複数種類の動作モードを設定可能な移動端末と、前記移動端末に対して発信する発信側端末に対する通信サービスを提供するサービスサーバであって、前記複数種類の動作モードは、前記移動端末における電波の送受信を停止する電波送受信停止モードを少なくとも１つ含み、前記移動端末で前記少なくとも１つの電波送受信停止モードのいずれか１つが設定された場合に、前記設定された電波送受信停止モードに関するモード設定情報を前記移動端末から受信して記憶する記憶手段と、前記記憶手段により前記モード設定情報を記憶した後に、前記発信側端末からの前記移動端末への発信を検知すると、前記発信に応答し、前記記憶手段により記憶したモード設定情報に基づいて、前記移動端末の動作状態を通知するための情報を前記発信側端末に送信する送信手段とを備える。
【００２９】
この構成により、移動端末が電波の送受信ができない状態にあっても、発信側端末に対して、移動端末の動作状態を通知するサービスを提供することが可能となる。
【００３０】
又、本発明のサービスサーバは、前記モード設定情報は、前記移動端末で設定されている電波送受信停止モードの設定期間を示す設定期間情報を含む。
【００３１】
この構成により、移動端末で設定されている電波送受信停止モードの設定期間を発信側端末に通知するサービスを提供することが可能となる。
【００３２】
又、本発明のサービスサーバは、前記発信に応答して、前記送信手段により前記モード設定情報に基づく情報を送信した後、前記移動端末と前記発信側端末との通信の接続を切断し、前記発信側端末から発信があったことを示す履歴情報を記憶する履歴情報記憶手段と、前記モード設定情報に含まれる設定期間情報に基づく前記電波送受信停止動作モードの設定終了時刻になると、前記履歴情報記憶手段により記憶した履歴情報を前記移動端末に送信する履歴情報送信手段とを備える。
【００３３】
この構成により、電波の送受信を停止している間に発信側端末から行われた発信の履歴を移動端末側に通知するサービスを提供することが可能となる。移動端末のユーザは、受信した履歴情報を参照することで、発信してきた発信側端末に折り返し発信すること等ができる。
【００３４】
又、本発明のサービスサーバは、前記送信手段により前記移動端末の動作状態を通知するための情報を前記発信側端末に送信した後に、前記モード設定情報に含まれる設定期間情報に基づく前記電波送受信停止動作モードの設定終了時刻になると、前記移動端末で設定されている電波送受信停止動作モードの設定が解除されたことを通知するための情報を前記発信側端末に送信するモード設定解除情報送信手段を備える。
【００３５】
この構成により、移動端末において電波送受信停止動作モードが解除される時間になると、その旨を発信側端末に通知するサービスを提供することが可能となる。発信側のユーザはこの通知により、移動端末に発信を行う機会を知ることができる。
【００３６】
又、本発明のサービスサーバは、前記通知とは、前記発信側端末の表示装置又は音声出力装置を利用して行うものである。
【００３７】
本発明の移動端末は、請求項７記載の移動端末と通信を行う移動端末であって、前記請求項７記載の移動端末の動作状態を通知するための情報を前記サービスサーバから受信する受信手段と、前記受信手段で受信した情報に基づいて、前記請求項７記載の移動端末で設定されている動作モードの設定が解除される時間を判断し、前記時間になると、前記請求項７記載の移動端末で設定されている電波送受信停止モードの設定が解除されたことを示す報知を行う報知手段とを備える。
【００３８】
この構成により、発信先の移動端末が通話が可能な状態になったことを、報知手段の報知により知ることができる。
【００３９】
【発明の実施の形態】
次に、本発明の実施の形態について、図面を参照しながら説明する。
（実施の形態１）
図１は、本発明の実施の形態１に係る移動体通信サービスシステムの概略構成を示す図である。同図に示した移動体通信サービスシステム１００は、移動端末１及び２と、基地局３及び４並びに基地局間の中継を行う中継局５を含み、移動端末間の通信制御や通信サービスの提供を行う移動体通信サービスシステム（「網」と呼ぶこともある）６とを備えて構成される。
【００４０】
基地局３は、自己の管理エリア内に存在する移動端末（携帯電話やＰＨＳ等）１の通信を制御する。また、基地局４は、自己の管理エリア内に存在する移動端末（携帯電話やＰＨＳ等）２の通信を制御する。中継局５は、基地局３と基地局４との間の通信を中継する。なお、本実施の形態では、移動端末２を所持しているユーザ７は電車１１に乗車している。また、電車１１内には乗客８及び９が同乗している。中継局５には移動体通信サービスを提供する管理装置５Ａ（特許請求の範囲のサーブしサーバに該当）が設けられている。以下、移動端末１及び２の構成と、中継局５の管理装置５Ａの構成について説明する。
【００４１】
図２は、移動端末２の概略構成を示すブロック図である。なお、移動端末１は移動端末２と同様の構成であるので、その説明を省略する。
図２において、移動端末２は、アンテナ２０と、送受信部２１と、操作部２２と、表示部２３と、バイブレータ部２４と、音声出力部２５と、記憶部２６と、マイコン２７とを備えて構成される。操作部２２は、移動端末２を操作するための各種キー釦を備えており、各種キー釦のなかには複数種類の動作モードを設定するための設定釦がある。
【００４２】
本実施形態の移動端末２の動作モードとしては以下のものが設定可能である。
マナーモード：着信音を出力せずに、バイブレータを振動させて着信の報知を行うモード。バイブレータのオンオフは任意に設定可能。
ドライブモード：移動端末１への着信があると、網６側が自動応答し、発信側に対して移動端末２のユーザが運転中であることを通知するモード。この際、移動端末１には着信履歴のみが網６から通知され記録される。
オフラインモード：電波の送受信のみを停止するモード。状況に応じて、飛行機モード、満員電車モード、病院モード、及び映画館モード等がある。
スリープモード：移動端末が電源停止状態から即座に通常状態に復帰可能なモード。オフラインモードと同様、飛行機モード、満員電車モード、病院モード、及び映画館モード等がある。又、このモードは、特定のコマンド等を入力することによって、瞬時に通常の待受モードに復帰できるモードであり、電源がオフとなっているものではない。
電車応答モード：着信があると、所定の応答メッセージ情報を発信側に送信し、応答メッセージ情報送信後、マナーモードと同様の設定になるモード。
就寝応答モード：着信があると、所定の応答メッセージ情報を発信側に送信し、応答メッセージ情報送信後、マナーモードと同様の設定になるモード。但し、このモードでは、着信音をオンにすることも可能。
任意設定モード：移動端末２のユーザが移動端末２の着信時の動作を任意に設定できるモード。
【００４３】
なお、オフラインモード及びスリープモードは、満員電車などの人と人とが触れ合うような状況下や、病院及び飛行機内等の電波の影響があるような場所での使用を想定したモードであり、このモードに設定して電波の発着信を禁止することで、ペースメーカなどの医療機器を使用している人に対する障害や精密機器への影響を未然に防止できる。
【００４４】
表示部２３は、ＬＣＤ（Ｌｉｑｕｉｄ  Ｃｒｙｓｔａｌ  Ｄｉｓｐｌａｙ）等の表示器２３ＡとＬＥＤ（発光ダイオード）２３Ｂとを備えている。表示器２３Ａは、移動端末２の使用に伴う内容の表示（各種電話機能や電話番号の表示等）に使用され、ＬＥＤ２３Ｂは着信時の報知に使用される。バイブレータ部２４は、移動端末２がバイブレータオンの動作モードに設定されているときに、図示せぬモータによって機械的振動を発生して着信を報知する。音声出力部２５は、図示せぬ発信器及びアンプとスピーカ２５Ａとを備えており、着信音や操作音等を発生する。記憶部２６は、マイコン２７を制御するプログラムと、電話帳データベース２６Ａとを記憶する。
【００４５】
マイコン２７は装置各部を制御するものであり、動作モード設定部２７Ａと、設定期間指定部２７Ｂと、応答メッセージ情報作成部２７Ｃと、応答メッセージ情報送信部２７Ｄと、モード設定情報送信部２７Ｅと、電話番号選択部２７Ｆとを備える。
【００４６】
動作モード設定部２７Ａは、上記複数種類の動作モードの中から選択された動作モードを移動端末２の動作モードとして設定する。設定期間指定部２７Ｂは、動作モード設定部２７Ａにより設定した動作モードの設定期間を指定する。応答メッセージ情報作成部２７Ｃは、電車応答モード又は就寝応答モードが設定された場合に、動作モード設定部２７Ａにより設定した動作モードの種類と設定期間指定部２７Ｂにより指定した設定期間とに基づいて、その動作モード固有の応答メッセージ情報を作成して記憶部２６に記憶する。応答メッセージ情報送信部２７Ｄは、電車応答モード又は就寝応答モードが設定されている状態で着信があると、該設定されている動作モードに応じた応答メッセージ情報を記憶部２６から読み出して送受信部２１から網６を介して発信側に送信する。
【００４７】
モード設定情報送信部２７Ｅは、動作モード設定部２７Ａによりオフラインモード又はスリープモードが設定されると、該設定された動作モードの種類と設定期間指定部２７Ｂにより指定された該動作モードの設定期間とに基づいて、設定した動作モードに関するモード設定情報を作成し、作成したモード設定情報を中継局５に対して送信する。モード設定情報とは、移動端末でどのような動作モードが設定されたか、又その設定期間はどれ位か等の内容を示す情報である。
【００４８】
電話番号選択部２７Ｆは、記憶部２６に記憶されている電話帳データベース２６Ａから特定の電話番号を選択する。尚、動作モード選択部２７Ａ、設定期間指定部２７Ｂ、及び電話番号選択部２７Ｆは、移動端末２のユーザ７の操作部２２の操作に応じて動作するものである。又、応答メッセージ情報作成部２７Ｃで作成させる応答メッセージは、ユーザが任意に設定することも可能である。
【００４９】
図３は、管理装置５Ａの概略構成を示すブロック図である。管理装置５Ａは、アンテナ３０と、送受信部３１と、操作部３２と、記憶部３４と、マイコン３５とを備えて構成される。
【００５０】
記憶部３４は、マイコン３５を制御するプログラムと、移動端末２から送信されてきたモード設定情報等とを記憶する。マイコン３５は、記憶部３４に記憶されたプログラムにしたがって装置各部を制御する。又、マイコン３５は、状態通知部３５Ａと、通信切断部３５Ｂと、履歴情報記憶部３５Ｃと、モード解除通知部３５Ｄと、履歴情報送信部３５Ｅとを備える。
【００５１】
状態通知部３５Ａは、モード設定情報を送信してきた移動端末２に対する移動端末１からの発信を検知すると、記憶部３４に記憶されているモード設定情報に基づいて、発信先の移動端末２は電波の送受信ができないモードにあること及びそのモードの設定期間についての情報を音声情報として発信側の移動端末１に送信する。尚、ここで送信する情報は音声情報に限らず、文字情報等でも構わない。
【００５２】
通信切断部３５Ｂは、状態通知部３５Ａによる音声情報の送信後、発信側の移動端末１が移動端末２に接続する前に、移動端末１と移動端末２との通信を切断する。履歴情報記憶部３５Ｃは、通信切断部３５Ｂによる通信切断後、移動端末２に対して発信があったことを示す履歴情報を作成して記憶部３４に記憶する。
【００５３】
モード解除通知部３５Ｄは、記憶部３４に記憶されているモード設定情報に含まれるモード設定期間の情報に基づいて、移動端末２で設定されている動作モードの設定が解除される時間を判断し、該時間になったときに、移動端末２の動作モードが解除される予定の時間になったことを示す情報を音声情報として発信側の移動端末１に送信する。尚、ここで送信する情報も文字情報であっても構わない。
【００５４】
履歴情報送信部３５Ｅは、移動端末２で設定されている動作モードの設定が解除される予定の時間になったときに、記憶部３４に記憶している履歴情報を読み出して移動端末２に送信する。
【００５５】
次に、本実施の形態に係る移動体通信サービスシステムの動作について説明する。
まず、移動端末２を電車応答モード又は就寝応答モードに設定した状態で、移動端末２に対して移動端末１からの着信があった場合の動作について説明する。
【００５６】
図４は、移動端末２の表示器２３Ａ上に表示される動作モード設定画面例を示す図である。ユーザ７は、電車応答モード又は就寝応答モードを設定する場合、図４の１番又は６番を選択して設定することになる。
【００５７】
図５は、ユーザ７が移動端末２を電車応答モードに設定しているときの、ユーザ７とユーザ１０との間の情報の流れを示す概念図である。
【００５８】
図５において、ユーザ１０が移動端末１を用いて、電車応答モード設定中である移動端末２に対して発信すると（Ｓ５１）、移動端末２は着信を認識する（Ｓ５２）。移動端末２は、着信を認識した後、移動体通信サービスシステム６に、現在設定中のモードに応じた応答メッセージ情報を送信する（Ｓ５３）。移動体通信サービスシステム６は、移動端末２から送信されてきた応答メッセージ情報を発信側の移動端末１に送信する（Ｓ５４）。
【００５９】
図６は、電車応答モード又は就寝応答モードに設定している移動端末２が、移動端末１からの着信を受けた際の処理を示すフローチャートである。
移動端末２は、電車応答モード又は就寝応答モードを設定後、移動端末１からの着信を受けると（Ｓ６０１）、電車応答モード又は就寝応答モードに応じた応答メッセージ情報を移動体通信サービスシステム６に送信する（Ｓ６０２）。これにより、発信側の移動端末１では、例えば次のような応答メッセージが音声出力部から出力される。
【００６０】
電車応答モードの場合：「１０時から１１時までの間は電車に乗っているため電話に出ることができません。後ほどお掛け直しください。尚、そのまま発信を継続することもできます。」
就寝応答モードの場合：「２３時〜７時までの間は就寝しているため電話に出ることができません。後ほどお掛け直しください。尚、そのまま発信を継続することもできます。」
【００６１】
発信側の移動端末１のユーザ１０は、これらの応答メッセージを聞くことで、特に重要な用事でない場合は、移動端末２との通信を切断することができる。一方で、重要な用件等があるときには、応答メッセージが流れた後に通信を継続することができる。
【００６２】
移動端末２は、応答メッセージ情報を送信した後、発信してきた移動端末１の電話番号と、電話番号指定部２７Ｆで指定された電話番号とを比較する（Ｓ６０３）。比較の結果、両者が一致しなかった場合（Ｓ６０３：ＮＯ）、移動端末２は、電車応答モード又は就寝応答モードの設定にしたがって着信の報知を行う（Ｓ６０４）。一方、両者が一致した場合（Ｓ６０３：ＹＥＳ）、移動端末２は電車応答モード又は就寝応答モードの設定に依らず、着信音を出力したり、バイブレータにより移動端末本体を振動させたり、或いは着信音と振動とを組み合わせたりすることで、着信の報知を行う（Ｓ６０５）。
【００６３】
尚、本実施形態では、予め指定した電話番号からの着信について、Ｓ６０５でその着信を報知するようにしているが、Ｓ６０３で、移動端末２のマイコンが、移動端末１から強制的に着信を報知させる制御信号を受信したかどうかを判断し、受信していた場合、その着信についてはＳ６０５における報知を行うように制御しても構わない。つまり、発信側の移動端末１から移動端末２における着信の報知を制御できるような構成としても良い。
【００６４】
次に、移動端末２をオフラインモード又はスリープモードに設定した状態で、移動端末１から移動端末２に対して発信があった場合の動作について説明する。図７は、ユーザ７が移動端末２をオフラインモード又はスリープモードに設定しているときの、ユーザ７とユーザ１０との間の情報の流れを示す概念図である。
【００６５】
図７において、ユーザ１０が移動端末１を用いて、オフラインモード又はスリープモードに設定中である移動端末２に対して発信すると（Ｓ７１）、移動体通信サービスシステム６がその発信に応答し、移動端末２の置かれている状態を発信側の移動端末１に通知し（Ｓ７２）、移動端末１から移動端末２への発信を終了させる。
【００６６】
図８は、移動端末２をオフラインモード又はスリープモードに設定してから、該移動端末２に対し移動端末１が発信した際の処理を示すフローチャートである。
まず、移動端末２のユーザ７により、オフラインモード又はスリープモードとその設定期間が設定されると（Ｓ８０１）、設定された動作モードに関するモード設定情報が管理装置５Ａに送信される（Ｓ８０２）。管理装置５Ａは、移動端末２から送信されてきたモード設定情報を記憶する（Ｓ８０３）。
【００６７】
その後、移動端末１から移動端末２への発信を検知すると（Ｓ８０４）、管理装置５Ａがその発信に応答し（Ｓ８０５）、モード設定情報に基づいて、移動端末１の状態を通知するための音声情報を発信側の移動端末１に送信する（Ｓ８０６）。音声情報を受信した移動端末１では例えば以下のようなアナウンスがスピーカから流れる。
【００６８】
満員電車モードの場合：「１０時から１１時までの間は電車に乗っているため着信を禁止しています。後ほどお掛け直しください。」
病院モードの場合：「１０時から１１時までの間は病院内にいるため着信を禁止しています。後ほどお掛け直しください。」
飛行機モードの場合：「１０時から１１時までの間は飛行機に乗っているため着信を禁止しています。後ほどお掛け直しください。」
映画館モードの場合：「１０時から１１時までの間は映画館にいるため着信を禁止しています。後ほどお掛け直しください。」
【００６９】
管理装置５Ａは、上記音声情報を送信後、移動端末１との通信を切断し（Ｓ８０７）、移動端末２に対して移動端末１から発信があったことを示す履歴情報を作成して記憶する（Ｓ８０８）。そして、モード設定情報に含まれるモード設定期間の情報を参照して、移動端末２においてオフラインモード又はスリープモードの設定が解除される予定の時間になるまで待機する。
【００７０】
移動端末２においてオフラインモード又はスリープモードの設定が解除される予定の時間になると、管理装置５Ａは、Ｓ８０８で記憶した履歴情報を移動端末２に対して送信する（Ｓ８０９）と共に、移動端末２においてオフラインモード又はスリープモードの設定が解除される予定の時間になった旨の通知を行うための音声情報を移動端末１に対して送信する（Ｓ８１０）。
【００７１】
音声情報を受信した移動端末１では、例えば次のようなアナウンスが流れる。
「先程お掛けした電話番号Ｘの移動端末は着信可能な状態になりました。」
【００７２】
移動端末２のユーザ７は、管理装置５Ａから送信されてきた履歴情報を参照することで、オフラインモード又はスリープモードの設定中に発信してきたユーザを知ることができ、折り返し発信を行うことができる。又、移動端末１のユーザ１０は、移動端末２が着信可能になった旨を知ることができるため、移動端末２に改めて発信し直すタイミングを知ることができる。
【００７３】
尚、本実施形態では、管理装置５Ａが、移動端末２においてオフラインモード又はスリープモードの設定が解除される予定の時間をカウントし、予定の時間になったときに、移動端末２に対して履歴情報を送信し、移動端末１に対して音声情報を送信する構成としているが、移動端末２自身が、オフラインモード又はスリープモードの設定を解除した際に、その旨を管理装置５Ａに通知し、管理装置５Ａが、その通知をトリガとして履歴情報及び音声情報を送信するようにしても良い。このようにすることで、移動端末２においてオフラインモード又はスリープモードの設定が解除されたタイミングをユーザ１０に正確に通知することができる。
【００７４】
又、移動端末１のユーザ１０は、管理装置５Ａからの音声情報を基に、移動端末２においてオフラインモード又はスリープモードの設定が解除されたことを知ることができるが、移動端末１自身の機能により、移動端末２においてオフラインモード又はスリープモードの設定が解除されたことを報知するようにしても良い。
【００７５】
この場合は、移動端末１のマイコン２７が、モード設定情報に基づいた文字（音声）情報を管理装置５Ａから受信した際（図８のＳ８０６）に、その文字情報に基づいて、移動端末２においてオフラインモード又はスリープモードの設定が解除される予定の時間を認識し、該時間になったときに、表示部２３、バイブレータ部２４、及び音声出力部２５の少なくとも１つを用いて、移動端末２においてオフラインモード又はスリープモードの設定が解除されたことを報知するようにする。
【００７６】
このように、本実施の形態に係る移動体通信サービスシステムよれば、移動端末２は、着信を認識したときに、現在設定されている動作モードの種類とその動作モードの設定期間を移動体通信サービスシステム６を介して発信側の移動端末に通知する。このため、移動端末１のユーザ１０は、スピーカから流れる応答メッセージを聞くことで、発信先のユーザがどのような状況にあるのかを把握することができる。例えば、発信先のユーザが電車に乗っている場合は発信の継続を自粛することが可能である。つまり、移動端末２のユーザ７及びその周囲の人に迷惑をかける可能性が低くなり、マナー向上を期待することができる。一方で、応答メッセージが流れた後も移動端末１は発信を継続できるため、緊急の用件を伝えたい場合等でも、発信先のユーザを呼び出すことが可能となる。
【００７７】
又、発信先の移動端末２が通話可能な時刻になったときに、その旨を移動端末１のユーザ１０が知ることができるため、ユーザ１０は、移動端末２に発信してよい時刻になったことを知ることができ、便利なサービスが実現される。
【００７８】
又、移動端末２をオフラインモード又はスリープモードに設定した状態では、なぜ着信ができないのか、どれ位の時間着信ができないのか等の理由が発信側のユーザに通知される。このため、ペースメーカ等の医療機器への影響が懸念される満員電車下など、不必要な電波が望まれない場所において、電波を発することなく、発信側のユーザ１０に着信側のユーザ７の状態を伝えることができ、従来の移動端末よりも利便性が向上する。
【００７９】
又、スリープモードを選択した場合には発着信を停止するだけでなく、電源停止した状態と同様の状態となるため、ペースメーカに影響を与えないこと以外に、オフラインモードよりも消費電力を少なくすることができる。したがって、スリープモードに設定することで、移動端末の待受時間を延長することができる。又、電源をオフした状態よりも、簡単に元の電源オンの状態に復旧させることができる。
【００８０】
又、「運転中」や「圏外あるいは電源オフ」以外の理由を発信側に伝えることができるので、上述した電車内の他に、例えば就寝する理由を発信側に伝えることで、寝ている間にバイブレータの音で起こされたりすることがなくなり、睡眠を邪魔されることがなくなる。また、着信の必要のないオフラインモードやスリープモードでは、いちいち端末が応答しないことで電池が長持ちし、移動体通信システムとしての周波数効率も向上できる。
【００８１】
又、移動端末２において、電車応答モード又は就寝応答モードが設定された場合でも、特定の電話番号からの着信については、その着信の報知を着信音やバイブレータにより行うことができるため、電車応答モード又は就寝応答モードによって待受をしつつ、緊急な電話にも対処することができる。
【００８２】
（実施の形態２）
図９は、本発明の実施の形態２に係る移動体通信サービスシステム２００の移動端末の構成を示すブロック図である。
本実施の形態の移動端末は、第１実施形態の移動端末２の構成に加え、記憶部２６に、待受時間の延長を考慮してユーザが事前に設定した動作モードのスケジュール情報を記憶するスケジュール記憶部２６Ｂを備え、マイコン２７に、スケジュール記憶部２６Ｂに記憶されたスケジュール情報に基づいて動作モードを切り替える動作モード切替部２７Ｇを備えたものである。動作モード切替部２７Ｇにより切り替えられた動作モードは、動作モード設定部２７Ａにより設定される。
【００８３】
このように、本実施の形態に係る移動体通信サービスシステムによれば、移動端末２が、待受時間の延長を考慮したスケジュールに従って、スリープモード、オフラインモード、マナーモード、及び電車応答モード等の複数種類の動作モードを自動的に切り替えて設定していくことで、ユーザの置かれる状況が変化する度に、移動端末の動作モードを設定し直す必要がない。又、効率的に動作モードを切り替えることができるため、移動端末の消費電流の削減が可能となる。
【００８４】
【発明の効果】
本発明によれば、使い勝手の良い移動端末を提供することができる。
【図面の簡単な説明】
【図１】本発明の実施の形態１に係る移動体通信サービスシステムの概略構成を示す図である。
【図２】本発明の実施の形態１に係る移動体通信サービスシステムの移動端末の構成を示すブロック図である。
【図３】本発明の実施の形態１に係る移動体通信サービスシステムの管理装置の構成を示すブロック図である。
【図４】本発明の実施の形態１に係る移動体通信サービスシステムの移動端末の動作モード設定画面例を示す図である。
【図５】本発明の実施の形態１に係る移動体通信サービスシステムの動作説明図であり、電車応答モード設定時の移動端末間の情報の流れを示す概念図である。
【図６】本発明の実施の形態１に係る移動体通信サービスシステムの動作説明図であり、電車応答モード又は就寝応答モードに設定している移動端末に対して発信した際の処理を示すフローチャートである。
【図７】本発明の実施の形態１に係る移動体通信サービスシステムの動作説明図であり、オフラインモード又はスリープモードに設定しているときの移動端末間の情報の流れを示す概念図である。
【図８】本発明の実施の形態１に係る移動体通信サービスシステムの動作説明図であり、オフラインモード又はスリープモードに設定している移動端末に対して発信した際の処理を示すフローチャートである。
【図９】本発明の実施の形態２に係る移動体通信サービスシステムの移動端末の構成を示すブロック図である。
【符号の説明】
１、２  移動端末
３、４  基地局
５  中継局
５Ａ  管理装置
６  移動体通信サービスシステム
７、１０  移動端末のユーザ
２０、３０  アンテナ
２１、３１  送受信部
２２、３２  操作部
２３  表示部
２３Ａ  表示器
２３Ｂ  ランプ
２４  バイブレータ部
２５  音声出力部
２５Ａ  スピーカ
２６、３４  記憶部
２６Ａ  電話帳データベース
２６Ｂ  スケジュール記憶部
２７、３５  マイコン
２７Ａ  動作モード設定部
２７Ｂ  設定期間指定部
２７Ｃ  応答メッセージ情報作成部
２７Ｄ  応答メッセージ情報送信部
２７Ｅ  モード設定情報送信部
２７Ｆ  電話番号選択部
２７Ｇ  動作モード切替部
３５Ａ  状態通知部
３５Ｂ  通信切断部
３５Ｃ  履歴情報記憶部
３５Ｄ  モード解除通知部
３５Ｅ  履歴情報送信部
【図１】
2004242091.tif 000003
【図２】
2004242091.tif 000004
【図３】
2004242091.tif 000005
【図４】
2004242091.tif 000006
【図５】
2004242091.tif 000007
【図６】
2004242091.tif 000008
【図７】
2004242091.tif 000009
【図８】
2004242091.tif 000010
【図９】
2004242091.tif 000011